(57)【要約】【課題】容易に設置できるハンドル制限ロックを提供する。【解決手段】ロック棒１、ロック台２、係合制限ユニット３及び固定ユニット４を含む。ロック棒１は、内部に収容室１１が設置され、収容室１１はロック棒１に沿って径方向に相対する穿孔１２が設置され、さらにロック棒１は径方向にロック台孔１３が設置され、ロック棒１の外側にはガード棒１４が設置されている。ロック台２にはロック心２１が形成され、ロック心２１はロック台孔１３によりロック台２に嵌入し、ロック心２１の上部にはロック栓２３が設置されている。係合制限ユニット３は、貫通孔３１が設置され、ロック栓２３の連動を受け、ロック棒１に沿って軸方向に移動する。固定ユニット４は、穿孔１２及び貫通孔３１に相対する固定棒４１が設置され、係合制限ユニット３の軸方向の移動を受けてロック或いはロック解除する。【選択図】図１
0003132588.tif 000002
【実用新案登録請求の範囲】
【請求項１】
ロック棒、ロック台、係合制限ユニット及び固定ユニットにより構成され、
前記ロック棒は、内部に収容室が設置され、前記収容室は前記ロック棒に沿って径方向に相対する穿孔が設置され、さらに前記ロック棒は径方向にロック台孔が設置され、前記ロック棒の外側にはガード棒が設置され、
前記ロック台には、ロック心が形成され、前記ロック心は前記ロック棒のロック台孔により前記ロック台に嵌入し、前記ロック心の上部にはロック栓が設置され、
前記係合制限ユニットは、貫通孔が設置され、前記ロック棒の穿孔に対応し、前記ロック心のロック栓の連動を受け、前記ロック棒に沿って軸方向に移動し、
前記固定ユニットは、前記ロック棒の穿孔及び前記係合制限ユニットの貫通孔に相対する固定棒が設置され、前記穿孔及び前記貫通孔において移動可能で、前記係合制限ユニットの軸方向の移動を受けてロック或いはロック解除することを特徴とするハンドル制限ロック。
【請求項２】
前記ロック棒の収容室の一端には、蓋体が設置されていることを特徴とする請求項１に記載のハンドル制限ロック。
【請求項３】
前記ロック台と前記ロック心は、ピンにより固定されることを特徴とする請求項１に記載のハンドル制限ロック。
【請求項４】
前記ロック台は、係合制限孔が形成され、
前記係合制限ユニットの一端には、係合制限棒が設置され、
前記係合制限棒の一端には、ばねが設置され、
前記係合制限棒の底部には、係合槽が設置され、
前記係合制限棒及び前記ばねは前記ロック台の係合制限孔に穿入し、前記ロック心のロック栓により前記係合槽に嵌入し、前記係合制限ユニットを定位することを特徴とする請求項１に記載のハンドル制限ロック。
【請求項５】
前記係合制限ユニットの貫通孔の片側には、係合ブロックが設置され、
前記固定ユニットの固定棒は固定槽が設置され、前記係合ブロックにより前記固定槽において係合し、前記固定ユニットはロック状態となることを特徴とする請求項１に記載のハンドル制限ロック。
【請求項６】
前記係合制限ユニットは、弾性部が設置され、
前記固定ユニットの固定棒は、凹槽が設置され、
前記弾性部により前記凹槽においてつかえることを特徴とする請求項１に記載のハンドル制限ロック。
【請求項７】
前記ロック栓の上部には、孔が設置され、
前記孔内には、ばね及び位置制限ピンが設置され、
前記係合制限ユニットは、位置制限槽が設置され、
前記ロック栓の位置制限ピンが設置されていることを特徴とする請求項１に記載のハンドル制限ロック。
【考案の詳細な説明】
【技術分野】
【０００１】
本考案は、一種のハンドル制限ロックに関する。特に、一種の固定ユニットによりハンドルの周縁をガード棒において係合制限し、これにより、ハンドルの強化骨は固定ユニットの固定棒の間に嵌合され、特に大きな伸縮空間がなくともロック動作を行うことができ、盗難防止の機能と効果を達成可能なハンドル制限ロックに係る。
【背景技術】
【０００２】
生活水準が日に日に高くなり、便利な生活を享受しようと、人々の交通手段も自転車、オートバイから自動車に移って来ている。現在、既に自動車所有率は非常に高いが、それに従って盗難件数も増えている。このため、盗難を防止しようと、自動車の各部位をロックする各種盗難防止ロック台が発売されている。該盗難防止ロック台の内、最もよく目にするタイプは、ハンドル上のロック台をロックするものである。
【０００３】
図９に示す中華民国公告第５５９１４９号の交通機関のハンドルロック台は、主に、ロック棒Ａを設置する。該ロック棒Ａは径方向にロック心Ａ１を貫通設入し、また、該ロック棒Ａの適当な位置には槽孔Ａ２を開設する。
該ロック棒Ａは該槽孔Ａ２側辺の位置にガード停止棒Ａ３を設置し、該ロック棒Ａ末端には回転体Ｂを設入する。該回転体Ｂは、該槽孔Ａ２の位置に相対し、係合制限体Ｂ１を突出設置する。該回転体Ｂは、該係合制限体Ｂ１の該槽孔Ａ２内での回転動を連動する。
【０００４】
図１０に示すように、使用時には、該回転体Ｂにより該係合制限体Ｂ１を該ロック棒Ａのガード停止棒Ａ３から離し、該ハンドルＣを該係合制限体Ｂ１と該ガード停止棒Ａ３の間に係入する。
さらに、図１１に示すように、該回転体Ｂにより該係合制限体Ｂ１を回転させて該ロック棒Ａのガード停止棒Ａ３において接触定位する。
しかし、該係合制限体Ｂ１と該ガード停止棒Ａ３の間隙は大きくないため、該ロック棒Ａにより角度を調整して該ハンドルＣに近づける必要がある。このため、設置が不便で、しかも時間を要するため、設置方式は理想的とは言えない。
【考案の開示】
【考案が解決しようとする課題】
【０００５】
本考案は、上記構造の問題点を解決するハンドル制限ロックを提供するものである。
【課題を解決するための手段】
【０００６】
上記課題を解決するため、本考案は、下記のハンドル制限ロックを提供する。
それは、主に、公知のハンドル制限ロックの設置に時間がかかり、不便である等の問題を解決する。
すなわち、それは、ロック棒、ロック台、係合制限ユニット及び固定ユニットを含む。
該ロック棒には内部に収容室を設置し、該収容室には該ロック棒に沿って径方向に相対する穿孔を設置し、さらに該ロック棒には径方向にロック台孔を設置し、該ロック棒外側にはガード棒を設置する。
【０００７】
該ロック台にはロック心を形成し、しかも該ロック心は該ロック棒のロック台孔により該ロック台に嵌入し、該ロック心の上部にはロック栓を設置する。
該係合制限ユニットは貫通孔が設置され、該ロック棒の穿孔に対応し、該ロック心のロック栓の連動を受け、該ロック棒に沿って軸方向に移動する。
該固定ユニットは該ロック棒の穿孔及び該係合制限ユニットの貫通孔に相対する固定棒が設置され、該穿孔及び該貫通孔において移動可能で、該係合制限ユニットの軸方向の移動を受けてロック或いはロック解除する。
【０００８】
前記ロック棒の収容室一端には蓋体を設置する。
前記ロック台とロック心はピンにより固定される。
前記ロック台には係合制限孔を形成し、該係合制限ユニット一端には係合制限棒を設置し、該係合制限棒一端にはばねを設置し、該係合制限棒底部には係合槽を設置し、該係合制限棒及び該ばねは該ロック台の係合制限孔に穿入し、該ロック心のロック栓により該係合槽に嵌入し、該係合制限ユニットを定位する。
【０００９】
前記係合制限ユニットの貫通孔片側には係合ブロックを設置し、該固定ユニットの固定棒には固定槽を設置し、該係合ブロックにより該固定槽において係合し、こうして該固定ユニットはロック状態となる。
前記係合制限ユニットには弾性部を設置し、該固定ユニットの固定棒には凹槽を設置し、該弾性部により該凹槽においてつかえ、これにより、該固定ユニットがロック解除状態を呈する時もロック棒を離脱しない。
【００１０】
また、それは、ロック具のセーフティー構造を提供し、ロック台及び係合制限ユニットを含む。
該ロック台にはロック心を形成し、該ロック心の上部にはロック栓を設置し、該ロック栓上部には孔を設置し、該孔内にはばね及び位置制限ピンを設置する。
該係合制限ユニットには位置制限槽を設置し、これにより、該ロック栓の位置制限ピンを設置する。
前記ロック台とロック心は、ピンにより固定される。
【００１１】
本考案は、以下の長所を備える。
１．本考案の固定ユニットは、上下直線運動の方式を呈し、ハンドルに係合するため、設置が容易である。
２．固定ユニットの上下直線運動により、ロック解除及びロック状態を達成するため、極めて大きな伸縮空間を不要としながら、ロック係合動作を行うことができる。これにより、車内の他の物品にぶつかり、或いは、ガラスを割ってしまって怪我をする等の状況も発生しない。
【００１２】
３．固定ユニットの固定棒は該ハンドルの周縁をガード棒において係合制限し、これにより、ハンドルの強化骨は固定棒の間に嵌合され、こうしてハンドルは横方向及び縦方向の移動を呈することができず、盗難防止の機能と効果を確実に達成することができる。
４．本考案は、別に保護ユニットを設置することができ、これにより、泥棒がロック棒側辺から打撃し、係合制限ユニットを解除することを防止可能であるハンドル制限ロックを提供する。
【考案の効果】
【００１３】
上記のように、本考案の固定ユニットは、上下直線運動の方式を呈し、ハンドルに係合するため、設置が容易であり、また、固定ユニットの上下直線運動により、ロック解除及びロック状態を達成するため、極めて大きな伸縮空間を不要としながら、ロック係合動作を行うことができる。これにより、車内の他の物品にぶつかり、或いは、ガラスを割ってしまって怪我をする等の状況も発生しない。さらに、固定ユニットの固定棒は該ハンドルの周縁をガード棒において係合制限し、これにより、ハンドルの強化骨は固定棒の間に嵌合され、こうしてハンドルは横方向及び縦方向の移動を呈することができず、盗難防止の機能と効果を確実に達成することができる。加えて本考案は別に保護ユニットを設置することができ、これにより、泥棒がロック棒側辺から打撃し、係合制限ユニットを解除することを防止可能である。
【考案を実施するための最良の形態】
【００１４】
図１と図２に示すように、本考案の一実施例によるハンドル制限ロックは、ロック棒１、ロック台２、係合制限ユニット３及び固定ユニット４を含む。
該ロック棒１には内部に収容室１１を設置し、該収容室１１には該ロック棒１に沿って径方向に相対する穿孔１２を設置する。また、該ロック棒１には径方向にロック台孔１３を設置し、該ロック棒１外側にはガード棒１４を設置し、さらに、該ロック棒１の収容室１１開口には蓋体１５を設置する。
【００１５】
該ロック台２にロック心２１を設置し、該ロック台２と該ロック心２１はピン２５により固定され、該ロック心２１は該ロック棒１のロック台孔１３により該ロック台２に嵌入される。別に、該ロック台２には係合制限孔２２を形成し、該ロック心２１と相通する。該ロック心２１の上部にはロック栓２３を設置し、該ロック栓２３は該係合制限孔２２中に設置され、該ロック台２のロック心２１にはカギ２４を設置する。また、該ロック栓２３には孔２３１を設置し、ばね２３２及び位置制限ピン２３３を嵌設する。
【００１６】
該係合制限ユニット３には貫通孔３１を設置し、該貫通孔３１の片側には係合ブロック３２を設置する。しかも、該係合制限ユニット３は該貫通孔３１により該ロック棒１の穿孔１２に対応し、該ロック心２１のロック栓２３の連動を受ける。これにより、該係合制限ユニット３は、該ロック棒１に沿って軸方向の移動を行い、該係合制限ユニット３一端には係合制限棒３３を設置する。該係合制限棒３３一端にはまたばね３３１を設置し、しかも、該係合制限棒３３底部には係合槽３４を設置する。該係合制限棒３３及びばね３３１は該ロック台２の係合制限孔２２に穿入し、これにより、該ロック心２１のロック栓２３は該係合槽３４に嵌入し、該係合制限ユニット３を定位する。また、該係合制限ユニット３には位置制限槽３５を設置し、該係合制限ユニット３には弾性部３６を設置する。
【００１７】
該固定ユニット４には該ロック棒１の穿孔１２及び該係合制限ユニット３の貫通孔３１に相対する固定棒４１を設置し、該穿孔１２及び該貫通孔３１において上下移動し、該係合制限ユニット３の軸方向の移動を受けてロック或いはロック解除する。該固定棒４１には固定槽４２を設置し、該係合制限ユニット３の係合ブロック３２により該固定槽４２において係合され、これにより、該固定ユニット４はロック状態を呈する。別に、該固定棒４１には凹槽４３を設置し、該係合制限ユニット３の弾性部３６に対応し、該弾性部３６により該凹槽４３においてつかえる。
【００１８】
本実施例のロック解除時の状態図である図３に示すように、装置時には、先ず該ロック台２を該ロック棒１の収容室１１内に入れ、該ロック棒１のロック台孔１３に対応させる。
次に、該係合制限ユニット３を該ロック棒１の収容室１１に入れ、これにより、該係合制限ユニット３の係合制限棒３３及びばね３３１は該ロック台２の係合制限孔２２に穿入する。
【００１９】
続いて、該ロック心２１を該ロック棒１のロック台孔１３より該ロック台２内に嵌入し、該ロック心２１のロック栓２３は該係合制限棒３３の係合槽３４に嵌入し、該係合制限ユニット３を定位する。
最後に、該固定ユニット４の固定棒４１を該ロック棒１底部の穿孔１２より穿入し、該係合制限ユニット３の貫通孔３１を経過後、該固定棒４１の凹槽４３が該係合制限ユニット３の弾性部３６に嵌合するまで、該ロック棒１上部の穿孔１２より該ロック棒１を穿出させる。こうして該係合制限ユニット３は定位され、該ロック棒１は脱出の恐れがなくなる。すべての部品の組合せ完成後、該蓋体１５を該収容室１１の開口に蓋合する。
【００２０】
ロック心２１及び係合制限棒の一部３３の上面図である図４と図３を合わせて示すように、図中のカギ２４は垂直を呈し、該ロック心２１のロック栓２３は該係合制限棒３３の係合槽３４壁面において接触する。こうして該ロック栓２３は該係合制限棒３３及び該ばね３３１を押し、該係合制限ユニット３を引き動かす。これにより、該係合制限ユニット３の係合ブロック３２は該固定棒４１の固定槽４２を離脱し、該固定棒４１は下方へと引かれ、該固定ユニット４はロック解除状態を呈する時もロック棒１を離脱しない。
【００２１】
本実施例のロック時の状態図である図５と図６を合わせて示すように、先ず該固定ユニット４を上方へと該固定棒４１が該ロック棒１外部のガード棒１４に接触するまで押し、次に、該カギ２４を９０°回転させる。これにより、該ロック栓２３は該係合制限棒３３に接触せず、さらに、該ばね３３１の弾力により該係合制限ユニット３の係合ブロック３２を該固定棒４１の固定槽４２に押し入れ、こうしてロック動作を完成する。
【００２２】
本実施例がハンドルをロックする前の状態図である図７に示すように、該固定ユニット４はロック解除の状態であるが、本実施例により迅速かつ便利に該ロック棒１外部のガード棒１４をハンドルＣに嵌入することができる。次に、図８に示すように、該固定棒４１は該ハンドルＣの強化骨Ｃ１を嵌合し、しかも、該ハンドルＣの周縁は該ガード棒１４に制限され、左右に移動することができず、また、同様に上下にも移動することができない。こうして該ハンドルＣは完全に該ロック棒１によりロックされ、任意に回転動することができず、盗難防止の機能を確実に達成する。
【００２３】
図３、図４、図５及び図６に示すように、本実施例は、保護ユニットを設置し、該ロック栓２３位置においてばね２３２及び位置制限ピン２３３を設置する。また、該係合制限ユニット３において位置制限槽３５を設置し、該ばね２３２及び該位置制限ピン２３３は該ロック栓２３の回転動に従って移動する。しかし、その移動は、該位置制限槽３５を離脱せず、作用は残存する。よって、外力が該係合制限ユニット３を打撃しても、該位置制限ピン２３３は該位置制限槽３５において係合されているため、該係合制限ユニット３は大きな移動を生じることがない。こうして該係合制限ユニット３の係合ブロック３２は該固定棒４１の固定槽４２を離脱しないため、外力によってもロックは解除できず、ロックは盗難防止の機能を備える。
【図面の簡単な説明】
【００２４】
【図１】本考案の一実施例によるハンドル制限ロックを示す分解斜視図である。
【図２】本考案の一実施例によるハンドル制限ロックを示す斜視図である。
【図３】本考案の一実施例によるハンドル制限ロックのロック解除状態を示す模式図である。
【図４】本考案の一実施例によるハンドル制限ロックのロック心及び係合制限棒の一部を示す上面図である。
【図５】本考案の一実施例によるハンドル制限ロックのロック状態を示す模式図である。
【図６】本考案の一実施例によるハンドル制限ロックのロック栓が係合制限棒から離れる状態を示す模式図である。
【図７】本考案の一実施例によるハンドル制限ロックのハンドルをロックする前の状態を示す模式図である。
【図８】本考案の一実施例によるハンドル制限ロックのハンドルに組合わせる状態を示す斜視図である。
【図９】従来のハンドルロック台を示す斜視図である。
【図１０】従来のハンドルロック台を示す斜視図である。
【図１１】従来のハンドルロック台を示す斜視図である。
【符号の説明】
【００２５】
１：ロック棒、２：ロック台、３：係合制限ユニット、４：固定ユニット、１１：収容室、１２：穿孔、１３：ロック台孔、１４：ガード棒、１５：蓋体、２１：ロック心、２２：係合制限孔、２３：ロック栓、２４：カギ、２５：ピン、３１：貫通孔、３２：係合ブロック、３３：係合制限棒、３４：係合槽、３５：位置制限槽、３６：弾性部、４１：固定棒、４２：固定槽、４３：凹槽、２３１：孔、２３２：ばね、２３３：位置制限ピン、３３１：ばね、Ａ：ロック棒、Ａ１：ロック心、Ａ２：槽孔、Ａ３：ガード停止棒、Ｂ：回転体、Ｂ１：係合制限体、Ｃ：ハンドル、Ｃ１：強化骨
【図１】
0003132588.tif 000003
【図２】
0003132588.tif 000004
【図３】
0003132588.tif 000005
【図４】
0003132588.tif 000006
【図５】
0003132588.tif 000007
【図６】
0003132588.tif 000008
【図７】
0003132588.tif 000009
【図８】
0003132588.tif 000010
【図９】
0003132588.tif 000011
【図１０】
0003132588.tif 000012
【図１１】
0003132588.tif 000013